(57)【要約】【課題】拡散によるチャンバー内の空調空気の均一化を図りながら、空調システムの低廉化及びチャンバー内構造の簡素化を達成する。【解決手段】空調空気を吹き出す吹出口１３が、床スラブ１と室内空間２との間に区画形成されたチャンバー３内に備えられ、吹出口１３からチャンバー３内に供給された空調空気を用いて室内空間２を空調するチャンバー給気式空調システムであって、チャンバー３内に位置する梁７の側面７ｂに対して吹出口１３から空調空気を吹き付けて拡散させる空気拡散手段Ａが備えられている。【選択図】図２
2018084359.tif 000002
【特許請求の範囲】
【請求項１】
空調空気を吹き出す吹出口が、床スラブと室内空間との間に区画形成されたチャンバー内に備えられ、当該吹出口から前記チャンバー内に供給された空調空気を用いて前記室内空間を空調するチャンバー給気式空調システムであって、
前記チャンバー内に位置する梁の側面に対して前記吹出口から空調空気を吹き付けて拡散させる空気拡散手段が備えられているチャンバー給気式空調システム。
【請求項２】
前記梁には、当該梁の側面に沿って鉛直方向側に流れる空調空気を水平方向側に拡散させる二次拡散部が設けられている請求項１記載のチャンバー給気式空調システム。
【請求項３】
前記チャンバー内を複数のゾーンに区画する前記梁に、隣接する前記ゾーン同士を連通する開口部が貫通形成され、前記吹出口から前記開口部に対して空調空気を吹き付けて上流側の前記ゾーンから下流側の前記ゾーンに空調空気を供給するように構成されている請求項１又は２記載のチャンバー給気式空調システム。
【請求項４】
前記梁の前記開口部に対して前記吹出口から吹き付けられた空調空気の一部を前記開口部から下流側の前記ゾーンに供給し、且つ、吹き付けられた空調空気の残部を前記梁の側面に沿って拡散させる分配手段が備えられている請求項３記載のチャンバー給気式空調システム。
【請求項５】
前記分配手段は、前記吹出口の口径よりも小なる開口径に形成された前記梁の前記開口部をもって構成されている請求項４記載のチャンバー給気式空調システム。
【請求項６】
前記吹出口には、空調空気の吹出速度を増加させるレデューサが設けられている請求項３〜５のいずれか１項に記載のチャンバー給気式空調システム。
【発明の詳細な説明】
【技術分野】
【０００１】
本発明は、空調空気を吹き出す吹出口が、床スラブと室内空間との間に区画形成されたチャンバー内に備えられ、当該吹出口から前記チャンバー内に供給された空調空気を用いて前記室内空間を空調するチャンバー給気式空調システムに関する。
【背景技術】
【０００２】
上述のチャンバー給気式空調システムとして、例えば、特許文献１に示す空調システムが存在する。この空調システムでは、上階の床スラブの下面と室内空間との間に天井材で区画形成された天井チャンバー内に空調機が配設され、この空調機の空気送出部には、天井チャンバー内に配設した給気ダクトが接続されている。この給気ダクトは天井材の上面に向かって下方に屈曲形成され、給気ダクトの先端部には、当該給気ダクトの吹出口から下方に吹き出される空調空気を天井チャンバー内に拡散する多孔金属板製の拡散器が装備されている。
【０００３】
また、特許文献２に示す空調システムでは、上階の床スラブの下面と室内空間との間に天井材で区画形成された天井チャンバー内に、空調機の空気送出部に接続された給気ダクトが配設されている。この給気ダクトには、上階の床スラブの下面に向かって上方に延設される分岐給気ダクトが設けられ、分岐給気ダクトの吹出口から上方に吹き出される空調空気を床スラブの下面で拡散するように構成されている。
【先行技術文献】
【特許文献】
【０００４】
【特許文献１】特開２０１４−２２８２４１号公報
【特許文献２】特開２００２−２２８２０４号公報
【発明の概要】
【発明が解決しようとする課題】
【０００５】
特許文献１に開示の空調システムでは、給気ダクトの吹出口から下方に吹き出される空調空気を拡散器で拡散させるため、放射空調のための放射面を構成する天井材を効率良く冷却又は加熱することができる。反面、給気ダクトの吹出口から吹き出される空調空気を天井チャンバー内に拡散するための拡散器を装備する必要があり、天井チャンバー内の構造が複雑化するとともに、空調システムが高騰化する不都合がある。
【０００６】
また、特許文献２に開示の空調システムでは、上階の床スラブの下面を、分岐給気ダクトの吹出口から上方に吹き出された空調空気の拡散面に利用するため、拡散器を省くことによって空調空気拡散構造の簡素化を図ることができる。反面、躯体空調を目的として、上階の床スラブの下面に向かって給気ダクトから上方に延設される分岐給気ダクトの吹出口から上方に空調空気を吹き出すため、室内空間とは反対側の床スラブの近傍で拡散するだけであり、室内空間に対して効率的な空調を行うことはできない。
【０００７】
この実情に鑑み、本発明の主たる課題は、拡散によるチャンバー内の空調空気の均一化を図りながら、空調システムの低廉化及びチャンバー内構造の簡素化を達成することができ、しかも、室内空間に対して効率的な空調を行うことのできるチャンバー給気式空調システムを提供する点にある。
【課題を解決するための手段】
【０００８】
本発明による第１特徴構成は、空調空気を吹き出す吹出口が、床スラブと室内空間との間に区画形成されたチャンバー内に備えられ、当該吹出口から前記チャンバー内に供給された空調空気を用いて前記室内空間を空調するチャンバー給気式空調システムであって、
前記チャンバー内に位置する梁の側面に対して前記吹出口から空調空気を吹き付けて拡散させる空気拡散手段が備えられている点にある。
【０００９】
上記構成によれば、チャンバー内に位置する吹出口及び梁の側面をもって構成される空気拡散手段により、吹出口から梁の側面に吹き付けられた空調空気は、梁の側面に沿って室内空間側への流動方向を含むあらゆる方向に流動してチャンバー内に拡散する。
それ故に、梁の側面を吹出口から吹き付けられた空調空気の拡散面とすることにより、拡散器を省くことができるとともに、梁の側面に沿って室内空間側へ拡散流動する空調空気により、チャンバー内における室内空間側寄りの領域において空調空気をスムーズに拡散させることができる。
したがって、梁の側面での空気拡散によってチャンバー内の空調空気の均一化を図りながら、空調システムの低廉化及びチャンバー内構造の簡素化を達成することができ、しかも、室内空間に対して効率的な空調を行うことができる。
【００１０】
本発明による第２特徴構成は、前記梁には、当該梁の側面に沿って鉛直方向側に流れる空調空気を水平方向側に拡散させる二次拡散部が設けられている点にある。
【００１１】
上記構成によれば、吹出口から吹き出された空調空気を梁の側面に衝突させて拡散させ、且つ、梁の側面に沿って拡散流動する空調空気のうち、鉛直方向側に流れる空調空気を梁に設けた二次拡散部で水平方向側に更に拡散させることができるので、拡散によるチャンバー内の空調空気の均一化を促進することができる。
【００１２】
本発明による第３特徴構成は、前記チャンバー内を複数のゾーンに区画する前記梁に、隣接する前記ゾーン同士を連通する開口部が貫通形成され、前記吹出口から前記開口部に対して空調空気を吹き付けて上流側の前記ゾーンから下流側の前記ゾーンに空調空気を供給するように構成されている点にある。
【００１３】
上記構成によれば、チャンバー内を複数のゾーンに区画する梁に貫通形成した開口部を、上流側のゾーンから下流側のゾーンに空調空気を供給するための供給路に構成することができる。
それ故に、梁を迂回する状態で上流側のゾーンから下流側のゾーンに給気ダクトを配置する必要がなく、空調システムの低廉化及びチャンバー内構造の簡素化を促進しながら天井高を高く確保することが可能となる。
【００１４】
本発明による第４特徴構成は、前記梁の前記開口部に対して前記吹出口から吹き付けられた空調空気の一部を前記開口部から下流側の前記ゾーンに供給し、且つ、吹き付けられた空調空気の残部を前記梁の側面に沿って拡散させる分配手段が備えられている点にある。
【００１５】
上記構成によれば、上流側のゾーンに位置する吹出口から吹き付けられた空調空気を、上流側のゾーンにおいて梁の側面に沿って拡散される空調空気と、梁の開口部を通して下流側のゾーンに供給される空調空気とに分配手段で良好に分配することができるので、チャンバー内構造の簡素化を図りながら、チャンバー内の各ゾーンでの空調空気の均一化をより促進することができる。
【００１６】
本発明による第５特徴構成は、前記分配手段は、前記吹出口の口径よりも小なる開口径に形成された前記梁の前記開口部をもって構成されている点にある。
【００１７】
上記構成によれば、梁の開口部の開口径を吹出口の口径よりも小径に構成することにより、上流側のゾーンにおいて梁の側面に沿って拡散される空調空気と梁の開口部を通して下流側のゾーンに供給される空調空気とに良好に分配することができる。
それ故に、チャンバー内構造の簡素化を一層図りながら、チャンバー内の各ゾーンでの空調空気の均一化を促進することができる。
【００１８】
本発明による第６の特徴構成は、前記吹出口には、空調空気の吹出速度を増加させるレデューサが設けられている点にある。
【００１９】
上記構成によれば、チャンバー内を複数のゾーンに区画する梁に貫通形成した開口部を、上流側のゾーンから下流側のゾーンに空調空気を供給するための供給路に構成して、チャンバー内構造の簡素化を図りながらも、上流側のゾーンに位置する吹出口にレデューサを設けることにより、空調空気を下流側のゾーン内の所定領域にまで確実に供給することができる。
【図面の簡単な説明】
【００２０】
【図１】チャンバー給気式空調システムの第１実施形態の概略構成を示す建物の横断面図
【図２】チャンバー給気式空調システムの第１実施形態の概略構成を示す建物の縦断面図
【図３】チャンバー給気式空調システムの第２実施形態の概略構成を示す建物の要部拡大横断面図
【発明を実施するための形態】
【００２１】
〔第１実施形態〕
図１、図２は、チャンバー給気式空調システムが適用された建物の一例で、鉄筋コンクリート造や鉄骨鉄筋コンクリート造のオフィスビルの概略設備構成を示す。この概略設備構成では、上階側の床スラブ１の下面と空調対象の室内空間２との間に天井チャンバー３が天井材４で区画形成され、下階側の床スラブ１の上面と室内空間２との間には、床下チャンバー５が床材６で区画形成されている。
【００２２】
天井材４は、放射空調のための対流併用型の放射パネルから構成され、天井材４には、無数の小さな通孔４ａが形成され、天井チャンバー３と室内空間２とが天井材４の無数の通孔４ａを介して連通されている。また、天井材４は、アルミや鉄等の金属（例えば、パンチングンメタル）等から構成されている。
【００２３】
天井チャンバー３内は、上階側の床スラブ１の下面の複数位置から下方に突出する梁（鉄筋コンクリート梁又は鉄骨鉄筋コンクリート梁）７で複数のゾーンＺ１〜Ｚ３の天井裏空間部３Ａ〜３Ｃに区画されている。
尚、各梁７の下面７ａと天井材４の上面との間には、隣接するゾーンＺ１〜Ｚ３の天井裏空間部３Ａ〜３Ｃ同士を連通する連通空間部３Ｄ，３Ｅが形成されている。
本実施形態においては、図２の左側から右側の順に位置する第１番目〜第４番目の梁７により、天井チャンバー３内が図２の左側から右側の順で第１ゾーンＺ１〜第３ゾーンＺ３の三つに区画されている。
【００２４】
第１ゾーンＺ１〜第３ゾーンＺ３のうち、第１ゾーンＺ１の天井裏空間部３Ａ内における窓８とは反対側部位、及び第３ゾーンＺ３の天井裏空間部３Ｃ内における窓８とは反対側部位の各々には、天井裏空間部３Ａ，３Ｃ内に空調空気（冷気又は暖気）を直接供給するヒートポンプ式の空調機１０が設置されている。
【００２５】
各空調機１０の空気送出部１０Ａには、図１に示すように、天井裏空間部３Ａ，３Ｃ内に沿って室内空間２の窓８に近いペリメーターゾーン側に延設される給気ダクト１１が接続され、各給気ダクト１１の長手方向の複数個所の両側には、図１、図２に示すように、天井裏空間部３Ａ，３Ｃの幅方向で対面する梁７の鉛直方向に沿う側面７ｂに向かって延びる分岐給気ダクト１２が接続されている。各分岐給気ダクト１２の先端の吹出口１３は、梁７の側面７ｂに対して直交する方向から空調空気を吹き付け可能な向き姿勢に設定され、各吹出口１３から吹き付けられた空調空気は、梁７の側面７ｂに衝突して拡散する。
そのため、梁７の側面７ｂに直交する分岐給気ダクト１２の吹出口１３と、空調空気の拡散面を形成する梁７の側面７ｂとをもって、天井チャンバー３内に位置する梁７の側面７ｂに対して給気ダクト１１側の吹出口１３から空調空気を吹き付けて拡散させる空気拡散手段Ａが構成されている。
【００２６】
各梁７の側面７ｂの下端部には、図２に示すように、当該梁７の側面７ｂに沿って下方側に流れる空調空気を水平方向側に拡散させる二次拡散部Ｂが設けられている。この二次拡散部Ｂは、天井裏空間部３Ａ〜３Ｃの幅方向中央側に向かって水平又は略水平に突出する水平拡散板１５から構成されている。
【００２７】
そして、図２に示すように、空調機１０から送られてくる空調空気は、給気ダクト１１の各分岐給気ダクト１２の吹出口１３から梁７の側面７ｂに向かって吹き出され、吹き出された空調空気は梁７の側面７ｂに衝突して当該側面７ｂに沿って拡散する。そのうち、梁７の側面７ｂに沿って下方に拡散流動する空調空気は二次拡散部Ｂの水平拡散板１５に衝突して天井裏空間部３Ａ，３Ｃの幅方向中央側に向かって水平方向側に拡散される。
上述の梁７の側面７ｂでの空調空気の一次拡散作用と二次拡散部Ｂの水平拡散板１５での空調空気の二次拡散作用とにより、空調機１０が配置された第１・第３ゾーンＺ１，Ｚ３の天井裏空間部３Ａ，３Ｃの全域で空調空気の均一化を図ることができる。
【００２８】
この第１・第３ゾーンＺ１，Ｚ３の天井裏空間部３Ａ，３Ｃ内の空調空気の均一化により、対流併用型の放射パネルをもって構成される天井材４のうち、空調機１０が配置された第１・第３ゾーンＺ１，Ｚ３の天井裏空間部３Ａ，３Ｃに対応する天井部全体を均一に冷却又は加熱して適正な放射空調を行うことができる。さらに、空調機１０が配置された第１・第３ゾーンＺ１，Ｚ３の天井裏空間部３Ａ，３Ｃ内の空調空気を、天井裏空間部３Ａ，３Ｃに対応する天井部の無数の通孔４ａを通過して室内空間２に供給することができる。
【００２９】
次に、空調機１０やその給気ダクト１１、１２が配置されていない第２ゾーンＺ２の天井裏空間部３Ｂに対する空調空気の供給構造について説明する。
図２に示すように、第１ゾーンＺ１と第２ゾーンＺ２とに区画する第２番目の梁７Ａのうち、第１ゾーンＺ１の天井裏空間部３Ａに配置された給気ダクト１１の片側（第２番目の梁７Ａの側面７ｂに対面する側）の各分岐給気ダクト１２の吹出口１３に対応する部位には、隣接する第１ゾーンＺ１の天井裏空間部３Ａと第２ゾーンＺ２の天井裏空間部３Ｂとを連通する横断面円形状の開口部１７が貫通形成されている。また、第２ゾーンＺ２と第３ゾーンＺ３とに区画する第３番目の梁７Ｂのうち、第３ゾーンＺ３の天井裏空間部３Ｃに配置された給気ダクト１１の片側（第３番目の梁７Ｂに対面する側）の各分岐給気ダクト１２の吹出口１３に対応する部位には、隣接する第２ゾーンＺ２の天井裏空間部３Ｂと第３ゾーンＺ３の天井裏空間部３Ｃとを連通する開口部１７が貫通形成されている。
尚、第２番目の梁７Ａの開口部１７及び第３番目の梁７Ｂの開口部１７は、梁７のコンクリート打設時に配設されているスリーブ等により形成されている。
【００３０】
そして、図２に示すように、第１ゾーンＺ１の天井裏空間部３Ａに配置された給気ダクト１１の片側の各分岐給気ダクト１２の吹出口１３から第２番目の梁７Ａの開口部１７に対して空調空気を吹き付けることにより、上流側である第１ゾーンＺ１から第２番目の梁７Ａの開口部１７を通して下流側の第２ゾーンＺ２に空調空気を供給することができる。
また、第３ゾーンＺ３の天井裏空間部３Ｃに配置された給気ダクト１１の片側の各分岐給気ダクト１２の吹出口１３から第３番目の梁７Ｂの開口部１７に対して空調空気を吹き付けることにより、上流側である第３ゾーンＺ３から第３番目の梁７Ｂの開口部１７を通して下流側の第２ゾーンＺ２に空調空気を供給することができる。
【００３１】
梁７Ａ，７Ｂの開口部１７に対して、分岐給気ダクト１２の吹出口１３から空調空気を吹き付ける際、吹き付けられた空調空気の一部を梁７Ａ，７Ｂの開口部１７から下流側の第２ゾーンＺ２の天井裏空間部３Ｂに供給し、且つ、吹き付けられた空調空気の残部を梁７Ａ，７Ｂの側面７ｂに衝突させて天井裏空間部３Ａ、３Ｃ内に拡散させる分配手段Ｃが備えられている。
分配手段Ｃは、梁７Ａ，７Ｂの開口部１７と分岐給気ダクト１２の吹出口１３とを同芯又は略同芯状態に配置し、且つ、梁７の開口部１７の開口径Ｄ１を、分岐給気ダクト１２の吹出口１３の口径Ｄ２よりも小に形成することにより構成されている。
【００３２】
そして、上述の分配手段Ｃにより、第２ゾーンＺ２の天井裏空間部３Ｂにおいても、第１ゾーンＺ１の天井裏空間部３Ａに配置された空調機１０から送られてくる空調空気の一部が、第２番目の梁７Ａの開口部１７から供給され、且つ、第３ゾーンＺ３の天井裏空間部３Ｃに配置された空調機１０から送られてくる空調空気の一部が、第３番目の梁７Ｂの開口部１７から供給される。
したがって、第２番目の梁７Ａの開口部１７から第２ゾーンＺ２の天井裏空間部３Ｂに供給される空調空気と、第３番目の梁７Ｂの開口部１７から第２ゾーンＺ２の天井裏空間部３Ｂに供給される空調空気とにより、第２ゾーンＺ２の天井裏空間部３Ｂの全域で空調空気の均一化を図ることができる。
【００３３】
尚、第１ゾーンＺ１の天井裏空間部３Ａに供給された空調空気の一部は、第２番目の梁７Ａの下面７ａと天井材４の上面との間の連通空間部３Ｄを通して第２ゾーンＺ２の天井裏空間部３Ｂに流入する。また、第３ゾーンＺ３の天井裏空間部３Ｃに供給された空調空気の一部は、第３番目の梁７Ｂの下面７ａと天井材４の上面との間の連通空間部３Ｅを通して第２ゾーンＺ２の天井裏空間部３Ｂに流入する。
【００３４】
上述の第２ゾーンＺ２の天井裏空間部３Ｂ内に供給される適切な空調空気の供給量と空調空気の均一化とにより、対流併用型の放射パネルをもって構成される天井材４のうち、第２ゾーンＺ２の天井裏空間部３Ｂに対応する天井部全体を均一に冷却又は加熱して適正な放射空調を行うことができる。さらに、第２ゾーンＺ２の天井裏空間部３Ｂ内の空調空気を、第２ゾーンＺ２の天井裏空間部３Ｂに対応する天井部の無数の通孔４ａを通過して室内空間２に供給することができる。
【００３５】
また、図１に示すように、給気ダクト１１の先端部には、天井材４のペリメーターゾーン側に形成した給気口２０に配置される先端ダクト部２１が設けられている。天井内拡散用冷温風の余剰空気を室内空間２のペリメーターゾーン側に供給することにより、熱負荷の大きいペリメーターゾーンの熱負荷処理を効率良く行うことができる。
【００３６】
また、図１に示すように、窓８とは反対側の壁部２５のダクトスペース部には、床下チャンバー５と天井チャンバー３とを連通するための還気通路２６を区画形成する竪ダクト２７が設けられている。この竪ダクト２７の還気通路２６の上部には、空調機１０の空気導入部１０Ｂに接続された還気ダクト２９の先端部が配置されているとともに、竪ダクト２７における足元に近い下端部には、室内空間２内の足元近くに存在する空調空気を還気通路２６内に導入する還気口２８が形成されている。
そして、暖房時において、室内空間２内の足元近くに存在する冷気を竪ダクト２７の還気口２８を通じて空調機１０の戻り空気として導入することにより、暖房時の足元の環境改善を図ることができる。
【００３７】
さらに、床材６には、室内空間２のペリメーターゾーンと床下チャンバー５とを連通する流入口２２が形成され、ペリメーターゾーン側の空調空気を流入口２２から床下チャンバー５内に導入するペリメーターファン２３が設けられている。
そして、暖房時において、窓８付近に配置したペリメーターファン２３により、床材６の流入口２２から床下チャンバー５内へ導入した空調空気で床下換気を行ない、空調空気を循環させることで、足元近辺の温熱環境を改善することができる。
【００３８】
〔第２実施形態〕
図３は、チャンバー給気式空調システムの別実施形態を示し、給気ダクト１１の各分岐給気ダクト１２の吹出口１３には、空調空気の吹出速度を増加させるレデューサ３１が設けられている。尚、図３では、第１ゾーンＺ１の天井裏空間部３Ａに配置され、第２番目の梁７Ａの開口部１７に向かって空調空気を吹き付ける吹出口１３に、レデューサ３１を設ける状態を示しているが、当然、第３ゾーンＺ３の天井裏空間部３Ｃに配置された吹出口１３にも、同様のレデューサ３１を設けることができる。
【００３９】
そして、空調機１０から送られてくる空調空気は、給気ダクト１１の片側の各分岐給気ダクト１２のレデューサ３１の吹出口１３から梁７の開口部１７に向かって吹き付けられる。吹き付けられた空調空気の一部は、梁７の開口部１７から下流側の第２ゾーンＺ２の天井裏空間部３Ｂに供給される。このとき、レデューサ３１によって空調空気の吹出速度が増加しているため、下流側の第２ゾーンＺ２の天井裏空間部３Ｂに供給される空調空気の到達範囲が広がり、第２ゾーンＺ２の天井裏空間部３Ｂ内での空調空気の均一化をより一層促進することができる。
また、各分岐給気ダクト１２のレデューサ３１の吹出口１３から吹き付けられた残部の空調空気は、梁７の側面７ｂにおける開口部１７の周縁部に衝突して第１ゾーンＺ１の天井裏空間部３Ａにおいて広い範囲に拡散される。
尚、その他の構成は、第１実施形態で説明した構成と同一であるから、同一の構成箇所には、第１実施形態と同一の番号を付記してそれの説明は省略する。
【００４０】
〔その他の実施形態〕
（１）上述の各実施形態では、分配手段Ｃを、梁７の開口部１７と分岐給気ダクト１２の吹出口１３とを同芯又は略同芯状態に配置し、且つ、梁７の開口部１７の開口径Ｄ１を、分岐給気ダクト１２の吹出口１３の口径Ｄ２よりも小に形成することにより構成したが、この構成に限定されるものではない。
例えば、梁７の開口部１７と吹出口１３とを同一径に構成した場合であっても、開口部１７と吹出口１３とを、それらの径寸法よりも小なる寸法で径方向に位置ずれ配置することにより、吹出口１３から吹き出された空調空気を上流側ゾーンと下流側ゾーンとに分配することができる。
また、梁７の開口部１７にパンチングメタル等の分配用邪魔板を設けることにより、吹出口１３から吹き出された空調空気を上流側ゾーンと下流側ゾーンとに分配することができる。
要するに、分配手段Ｃとしては、梁７の開口部１７に対して吹出口１３から吹き付けられた空調空気の一部を開口部１７から下流側ゾーンに供給し、且つ、吹き付けられた空調空気の残部を梁７の側面７ｂに沿って拡散させることのできるものであれば、如何なる構造に構成してもよい。
【００４１】
（２）上述の各実施形態では、梁７の開口部１７に対応する吹出口１３から吹き付けられた空調空気を分配手段Ｃで分配するように構成したが、特定の吹出口１３においては、当該吹出口１３から吹き付けられた空調空気の全てを梁７の開口部１７を通じて下流側ゾーンに供給するように構成してもよい。
【００４２】
（３）上述の各実施形態では、床スラブ１と室内空間２との間に区画形成されたチャンバーとして、室内空間２との間を天井材４で区画形成された天井チャンバー３を例に挙げて説明したが、これに限定されるものではない。例えば、下階側の床スラブ１の上面から梁が突出している場合には、室内空間２との間を床材６で区画形成された床下チャンバー５に本発明のチャンバー給気式空調システムを適用することができる。
【００４３】
（４）上述の各実施形態では、天井チャンバー３内に空調機１０を配置したが、天井チャンバー３外に空調機１０を配置し、この空調機１０に接続された給気ダクト１１を天井チャンバー３内に配設してもよい。
【００４４】
（５）上述の各実施形態では、天井材４を、放射空調のための金属製の対流併用型の放射パネルから構成したが、天井材４を、通孔４ａを省略した放射空調専用の放射パネルから構成してもよく、また、放射空調を行うことなく無数の通孔４ａによる対流式空調専用の天井パネルから構成してもよい。
【００４５】
（６）上述の各実施形態では、梁７の開口部１７を一定の開口径に構成したが、梁７の開口部１７の開口径を変更する開口径変更手段を設けてもよい。
【００４６】
（７）上述の各実施形態では、梁７として、鉄筋コンクリート梁又は鉄骨鉄筋コンクリート梁を例に示したが、Ｈ型鋼製等の鉄骨梁であってもよい。
【符号の説明】
【００４７】
１        床スラブ
２        室内空間
３        チャンバー（天井チャンバー）
５        チャンバー（床下チャンバー）
７        梁
７ｂ      側面
１３      吹出口
１７      開口部
３１      レデューサ
Ａ        空気拡散手段
Ｂ        二次拡散部
Ｃ        分配手段
Ｄ１      開口径
Ｄ２      口径
Ｚ１      ゾーン（第１ゾーン）
Ｚ２      ゾーン（第２ゾーン）
Ｚ３      ゾーン（第３ゾーン）
【図１】
2018084359.tif 000003
【図２】
2018084359.tif 000004
【図３】
2018084359.tif 000005